(57)【要約】【課題】排気による周囲の汚れを防ぎ、更に排気温度を低減する加熱調理器を得る。【解決手段】加熱調理器本体１１０は加熱室を収容しており、加熱室から排出された排気を背面方向に導くように第１のダクトが配設されている。この第１のダクトと穴１５を介して連通する第２の排気ダクト１８を加熱調理器本体１１０の背面に設け、加熱室から放出される排気を加熱調理器本体１１０のファン用吸気口から離れる方向に導くように風路を構成する。而して、第２の排気ダクト１８からの排気を、第２の排気ダクト１８の一部を構成している外装筐体１の背面部と嵌合して配設されている天板１２０の下部と外装筐体１の上部との間に排気風路である結露トラップ４０を設けてここを通して排気するようにした。結露トラップ４０は排気から油分や水分を除去するので、排気は清浄化される。また、風路長は排気風路を接続した分長くなるので、排気温度が低減する。【選択図】図６
2012037183.tif 000002
【特許請求の範囲】
【請求項１】
食品などの被調理物を収納し、第１の排気口を有する加熱室と、
前記被調理物を加熱する加熱手段と、
前記第１の排気口に連通し、第２の排気口を有し、前記加熱手段による前記被調理物の加熱中に前記被調理物から発生し、前記第１の排気口から排出される排気を前記第２の排気口へ案内する排気ダクトと、
前記加熱室を覆う外装筐体と、
この外装筐体の上部に品物を載置可能な天板とを備え、
前記第２の排気口を覆うと共に、第３の排気口を有し、前記第２の排気口から排出された排気から油及び水分を除去可能な排気風路を前記外装筐体と前記天板の間に設けたことを特徴とする加熱調理器。
【請求項２】
電気部品と、この電気部品を冷却するファンと、このファン用吸気口を有し、前記加熱室と隣接して配置される電気室を備え、
前記排気風路は排気を前記ファン用吸気口から離れる方向に導くような位置に設けられることを特徴とする請求項１記載の加熱調理器。
【請求項３】
外気用吸気口を有し、この外気用吸気口から外気を吸気して流す外気ダクトを備え、
前記排気ダクト内の排気と前記外気ダクトを流れる外気とを混合する混合部を前記排気ダクト内に設けたことを特徴とする請求項１または請求項２に記載の加熱調理器。
【請求項４】
前記外気用吸気口は前記外装筐体の側面から一段落ち込んだ位置に形成されることを特徴とする請求項３記載の加熱調理器。
【請求項５】
前記排気風路は、前記外装筐体と前記天板との間に形成された空間に着脱自在に設けられ、取付け時には前記第２の排気口を介して前記第２のダクトと連通する結露トラップであることを特徴とする請求項１〜４のいずれか一項に記載の加熱調理器。
【請求項６】
前記結露トラップは、前記第３の排気口までの距離を長くするように配設された少なくともひとつのリブを備えたことを特徴とする請求項５記載の加熱調理器。
【請求項７】
前記結露トラップの内部に傾斜面を設けたことを特徴とする請求項５または請求項６に記載の加熱調理器。
【請求項８】
前記結露トラップの内部に露溜まり部を設けたことを特徴とする請求項５〜７のいずれか一項に記載の加熱調理器。
【請求項９】
前記露溜まり部の位置は結露トラップ排気口の穴の位置よりも低いことを特徴とする請求項８記載の加熱調理器。
【請求項１０】
前記天板を排気ダクトに嵌合構造にて着脱可能としたことを特徴とする請求項１〜９のいずれか一項に記載の加熱調理器。
【請求項１１】
前記天板の、前記排気ダクトの略上部を品物が載置できない非載置部としたことを特徴とする請求項１〜１０のいずれか一項に記載の加熱調理器。
【請求項１２】
前記外装筐体と前記天板との間に品物を収納するための収納スペースを設けたことを特徴とする請求項１〜１１のいずれか一項に記載の加熱調理器。
【請求項１３】
前記天板は前記排気ダクトの上部に当接する後脚部と、前記外装筐体の上部に当接する前脚部と、を備え、
前記後脚部の背面は前記排気ダクトの背面と面一であることを特徴とする請求項１２記載の加熱調理器。
【請求項１４】
前記天板に持ち手部を設けたことを特徴とする請求項１０記載の加熱調理器。
【請求項１５】
前記天板の持ち手部は、前記天板から外方に突出した凸部であることを特徴とする請求項１４記載の加熱調理器。
【請求項１６】
前記天板の持ち手部は、前記天板に形成された凹部であることを特徴とする請求項１４記載の加熱調理器。
【請求項１７】
前記加熱手段は電気エネルギーを高周波信号に変換する高周波発生手段であることを特徴とする請求項１〜１６のいずれか一項に記載の加熱調理器。
【請求項１８】
前記加熱手段は電気エネルギーを熱エネルギーに変換するヒーターであることを特徴とする請求項１〜１６のいずれか一項に記載の加熱調理器。
【発明の詳細な説明】
【技術分野】
【０００１】
本発明は、オーブンレンジや電気オーブンなどの加熱調理器に関するものである。
【背景技術】
【０００２】
従来の加熱調理器には、加熱調理器本体の上部に若干（５ｍｍ以上）の隙間を介して天板を設け、この天板を着脱可能とすることにより、この天板上の温度を下げることができ、結果としてこの天板上に所望の品物を置くことができ、尚且つ加熱調理器本体を汚したり傷つけたりすることのないものが提案されている。（例えば特許文献１参照）
【先行技術文献】
【特許文献】
【０００３】
【特許文献１】特開２０００−２４３１号公報
【発明の概要】
【発明が解決しようとする課題】
【０００４】
従来の加熱調理器は、以上のように構成されているが、排気の処理に関しては何ら考慮されていなかった。従って、天板上に料理本、調味料、電気器具、等の品物を設置した状態で加熱調理を行った際には、加熱調理器本体外へ排出された油や煙、蒸気等が天板上に配置された品物に付着し、汚してしまうという恐れがあった。また、加熱調理器本体の背面、側面を壁に接触させて使用する際には、加熱中に発生する油や煙、蒸気等が壁面やカーテン等を汚してしまう恐れがあった。
【０００５】
本発明はこのような課題を解決するために為されたものであり、排気による周囲の汚れを防ぎ、更に排気温度を低減する加熱調理器を得ることを目的とする。
【課題を解決するための手段】
【０００６】
本発明にかかる加熱調理器は、食品などの被調理物を収納し、第１の排気口を有する加熱室と、被調理物を加熱する加熱手段と、第１の排気口に連通し、第２の排気口を有し、加熱手段による被調理物の加熱中に被調理物から発生し、第１の排気口から排出される排気を第２の排気口へ案内する排気ダクトと、加熱室を覆う外装筐体と、外装筐体の上部に品物を載置可能な天板とを備え、第２の排気口を覆うと共に、第３の排気口を有し、第２の排気口から排出された排気から油及び水分を除去可能な排気風路を外装筐体と天板の間に設けたものである。
【発明の効果】
【０００７】
この発明によれば、上記のような構成により、被調理物の加熱調理中に被調理物から発生した油、煙、蒸気等が加熱調理器本体の排気口から排出された場合でも、第２の排気口に連通した排気風路を通過することにより、排気風路から排出される空気から、油分及び水分を除去し、更には排気ダクトが長くなるのでその分排気温度も低減させることができるので、天板上に配置されている料理本、調味料、電気器具等の品物を汚さないだけでなく、壁に近接させて使用する場合においても、加熱調理器周辺の壁やカーテン等を汚すことがなく、より周囲を清潔に使用することができる。また、排気の温度を低減させることで、より安全な加熱調理器を提供することができる。
【図面の簡単な説明】
【０００８】
【図１】本発明の実施の形態１を示す加熱調理器の本体の斜視図である。
【図２】本発明の実施の形態１を示す加熱調理器の要部断面図である。
【図３】本発明の実施の形態１を示す加熱調理器の要部本体斜視図である。
【図４】本発明の実施の形態１を示す加熱調理器の側断面である。
【図５】図４の要部拡大側断面である。
【図６】本発明の実施の形態１を示す加熱調理器の後方斜視図である。
【図７】本発明の実施の形態１を示す背面板の正面図である。
【図８】本発明の実施の形態１を示す加熱調理器の分解斜視図である。
【図９】本発明の実施の形態１を示す加熱調理器の要部断面図である。
【図１０】本発明の実施の形態１を示す結露トラップの斜視図である。
【図１１】本発明の実施の形態２を示す天板の斜視図である。
【図１２】本発明の実施の形態２を示す要部の側断面図である。
【図１３】本発明の実施の形態２を示す天板の平面図である。
【図１４】本発明の実施の形態２を示す天板の裏面図である。
【発明を実施するための形態】
【０００９】
実施の形態１．
以下、本発明の実施の形態１について説明する。図１は本発明の実施の形態１を示す加熱調理器の本体の斜視図、図２は本発明の実施の形態１を示す加熱調理器の要部断面図、図３は本発明の実施の形態１を示す加熱調理器の要部本体斜視図、図４は本発明の実施の形態１を示す加熱調理器の側断面図、図５は図４の要部拡大側断面、図６は本発明の実施の形態１を示す加熱調理器の後方斜視図、図７は本発明の実施の形態１を示す背面板の正面図、図８は本発明の実施の形態１を示す加熱調理器の分解斜視図、図９は本発明の実施の形態１を示す加熱調理器の要部断面図、図１０は本発明の実施の形態１を示す結露トラップの斜視図である。図１〜図１０において、同一符号は同一または相当部分である。
【００１０】
図１及び図２に示すように加熱調理器１００は外装筐体１で囲まれた加熱調理器本体１１０から構成されており、この加熱調理器本体１１０の上には所定の間隙を置いて料理本、調味料、電気器具、等の非調理用品（以下、品物と呼ぶこともある）を載せるための天板１２０を載置することができる。加熱調理器本体１１０は、前面が開口し食品などの被調理物を収納する略箱状の加熱室１０と、加熱室１０の右側に配設された電気室２０とから構成されている。加熱室１０の前面には、加熱室１０の前面開口部を覆い、縦開き方式で開閉自在に扉１１が取り付けられている。また、電気室２０には、加熱室１０内の被調理物（食品等）を加熱するための高周波信号を電気エネルギーから変換して発生するマグネトロン２１を始め、各種電気部品が設けられており、電気室２０の前面には、調理メニューなどを設定する為の操作パネル２２が設けられている。操作パネル２２には、調理の時間、温度、メニューを設定する為の設定ボタン２３及び、設定された調理をスタートさせる為のスタートボタン２４が配設されている。また、スタートボタン２４の近傍には、スタートした調理を途中で取り消したり、設定中の状態を取り消したりする為の取り消しボタン２５が配設されている。また、操作パネル２２の上部には、操作の入力状態や調理状態を表示する為の表示部２６が配設されており、また、電気室２０の背面には、図２に示すように制御部２７が配設されている。
【００１１】
また、図２に示すように、マグネトロン２１は、加熱室１０の底面に固定され、マグネトロン２１から発振された電波を加熱室１０内に導く為の導波管３０にネジにより固定されている。導波管３０には加熱室１０内へ電波を放射するためのアンテナ３１を駆動させる為のモータ３２が固定されている。
【００１２】
加熱室１０の底面には、シリコン等の接着剤により固定されたセラミック等の非誘電部材からなる仕切り板１２が設けられている。仕切り板１２の上には皿を介してあるいは直接被調理物を載置することができる。仕切り板１２の下部には電気エネルギーを熱エネルギーに変換して加熱室１０内の被調理物を下方から加熱する為の下ヒーター１３、加熱室１０の上部には電気エネルギーを熱エネルギーに変換して加熱室１０内の被調理物を上方から加熱する為の上ヒーター１４が設けられている。
【００１３】
加熱室１０の上部のやや右寄りの奥には庫内の蒸気等を排気する為の直径４ｍｍ程度の排気用の穴（図示せず）が複数個設けられている。また、この排気用の穴に対向する位置には、図３に示すように、板金等で構成され、背面側に進むに連れて幅が拡大するような構成をした断面形状が略矩形状の第１の排気ダクト１６が設けられており、この第１の排気ダクト１６の下部がネジ等で加熱室１０に固定されている。また、図５及び図６に示すように更に第１の排気ダクト１６の背面開口に対向する位置に穴１５を設けた加熱調理器１００の背面を構成する背面板１７が配設されている。
【００１４】
また、背面板１７には、加熱室１０の右側に配設されている各電気機器を冷却する為のファン２８が加熱調理器本体１１０の外部から空気を吸い込む為の吸気穴が複数個設けられている。
【００１５】
また、背面板１７の電気室以外の上部には、背面板１７の穴１５から排気された高温の排気を、ファン２８の吸気穴から離れる方向に排気を導くように第２の排気ダクト１８がほぼ水平に形成されている。この第２の排気ダクト１８は、図４〜図８に示すように背面板１７の鉛直部と、この鉛直部の上端から後方へ庇状に延設された上部と、背面板１７の下部を絞り加工により外方に突設して成る箱状の凸部１８１の上壁と、外装筐体１の背面部とによって囲まれることで構成され、背面側から透視した場合、穴１５から右方向に水平に伸びる断面形状が略矩形状の開口を持つ排気用ダクトであり、その終端には背面側から透視した場合、ほぼ右上端に本体排気口１９が設けられている。
第２の排気ダクト１８が配設されていない場合は、第１の排気ダクト１６から排気された高温の排気が、背面板１７に設けられたファン２８用の吸気穴から吸い込まれてしまう為、加熱調理中で温度が上昇している各電気機器を冷却する性能が低下してしまう。また、第２の排気ダクト１８のように排気経路を長くすることで、高温の排気は第２の排気ダクト１８内を通過中に第２の排気ダクト１８の管壁の一部を兼ねる外装筐体１の背面部を介して、外気と熱交換することで、その温度を低下させることができる。よって、第２の排気ダクト１８には、ファン２８用の吸気穴、及び各電気機器が配設されている電気室２０から遠く離れた位置に、本体排気口１９を設けている。
【００１６】
また、図６に示すように、第２の排気ダクト１８を通過する高温の排気の温度を低減させるため、第２の排気ダクト１８と交差する方向に外気用ダクト（即ち、図６に示すように背面板１７と、背面板１７の凸部１８１の側壁と、外装筐体１の背面部及び一方の側面部によって囲まれることで構成される上下方向に伸びた断面形状が略矩形状の開口を持つダクト）１８２を設け、この外気用ダクト１８２の側面、又は底面の少なくとも一方に吸気口１８２ａを設ける。これにより、加熱室１０から排気された高温の排気が第２の排気ダクト１８内を本体排気口１９に向かって流れると、この流れに引き込まれて加熱調理器本体１１０の外から外気が吸引される。この外気と第２の排気ダクト１８内を流れる排気とを、第２の排気ダクト１８と外気用ダクト１８２が合流する混合部（図では本体排気口１９）で混合して本体排気口１９から排気するような構成にしている。なお、混合部は本体排気口１９より上流であれば、これに限る必要はないが、混合位置が最終段に近いほど、排気の冷却効率は高くなる。また側面に設けた吸気口１８２ａを加熱調理器本体１１０の側面から一段落ち込んだ位置に配設することにより、側面を壁にピッタリ接触させて使用しても吸気口付近に空間を確保することができるため、吸気性能が劣化することはない。更には吸気口１８２ａ等の穴がユーザーから見えにくい位置になるため、意匠性も向上する。
【００１７】
また、図９に示すように、加熱調理器本体１１０の上面、側面を形成する外装筐体１の上部には、外装筐体１の上面の略全体を覆うように着脱自在に天板１２０を設けている。天板１２０の裏面部は、外装筐体１の上面から隙間を設けるよう設定されている。これにより、この隙間に比較的耐熱性の高い品物を載置することができる。また、外装筐体１の熱が天板１２０に直接伝わらないため、天板１２０の温度が外装筐体１のそれよりも低くなる。従って、天板１２０の上には比較的耐熱性の低い品物を配置することができる。また、天板１２０は外部筐体１の後部の外郭１ａに嵌め合せ構造にて固定されている。
嵌め合せ構造は、例えば図９に示すように、第２の排気ダクト１８の一部を構成し、外装筐体１の背面部の上部に延設された外郭１ａと、天板１２０の最後部に形成され、下方にほぼ垂直に折れ曲がって成る後脚部１２０ａとから構成され、外郭１ａと天板１２０の後脚部１２０ａとが嵌合することで構成される。この場合、天板１２０の背面側の後脚部１２０ａの背面は、第２の排気ダクト１８の背面と略同一面となるように構成されている。外郭１ａは鉛直方向に配置されている外装筐体１の背面部の上端から前方にほぼ垂直に折れ曲がって成る第１の辺Ａと、さらにこの第１の辺Ａから上方にほぼ垂直に折れ曲がって成る第２の辺Ｂと、さらにこの第２の辺Ｂから前方にほぼ垂直に折れ曲がって成る第３の辺Ｃとを備えるように延設されており、天板１２０の後脚部１２０ａより前方にリブ１２０ｂを設け、外郭１ａの第２の辺Ｂと前記リブ１２０ｂとが接し、外郭１ａの第１の辺Ａに後脚部１２０ａの先端が当接するように構成する。この場合、外郭１ａの第２の辺Ｂの位置が脚部１２０ａの内側の位置よりも若干外側に位置するようにすると、後脚部１２０ａが外郭１ａの第２の辺Ｂを押さえつけるようになる密閉度が上がり好ましい。
なお、リブ１２０ｂによる第３の辺への当接により、外郭１ａ自体が有する強い復帰力を軽減して外郭１ａが過度に変形するのを防止している。
【００１８】
天板１２０の上面は、例えば料理本、調味料、電気機器等の品物を載置することが可能な載置部１２０ｃと、前記品物を載置できないようにする非載置部１２０ｄとで構成されており、載置部１２０ｃは非載置部１２０ｄよりも低く構成されている。載置部１２０ｃと非載置部１２０ｄとに高低差を設けたことにより、載置部１２０ｃに載置された品物が天板１２０の端に寄った時でも、非載置部１２０ｄが案内となり、品物が天板１２０上から脱落し難くすることができる。
【００１９】
また、加熱室１０で被調理物をヒーターにより加熱及び、過加熱調理中などは高温の空気が排気される為、天板１２０も高温にさらされる。この時、第２の排気ダクト１８の上部に天板１２０の非載置部１２０ｄが位置付けられるように構成することで、載置部１２０ｃの温度は第２の排気ダクト１８の上部よりも温度が低くなり、載置部１２０ｃには、より耐熱性の低い樹脂製品や可燃物等所望の品物を置くことができる。
【００２０】
前記外装筐体１と天板１２０の隙間、且つ本体排気口１９を覆うように結露トラップ４０を着脱自在に設けている。また、本体排気口１９から排出されるべき排気は天板１２０の最後部に形成され、下方に垂直に折れ曲がって成る後脚部１２０ａと、外装筐体１の背面部の上部に構成された外郭１ａとの嵌め合わせ構造によって外方への排出を遮断される。また、本体排気口１９と結露トラップ４０との間から蒸気や油分等の排気が漏れることのないように、例えば独立発泡製のスポンジやシリコン製のシール部材（図示せず）で密閉することが望ましい。結露トラップ４０には、結露トラップ排気口４０ｂが設けられており、結露トラップ内に吸気された蒸気等を通過させ、外装筐体１と天板１２０の間から加熱調理器本体１１０の外部へ排気させるように構成している。
【００２１】
結露トラップ４０には、図１０（ｂ）に示すように排気経路を長くして、加熱室１０から排気された蒸気等からより多くの水分、油分を除去できるようにラビリンス状にリブ４０ａが設けられている。また、結露トラップ４０内で除去した水分や油分が本体排気口１９から本体内へ浸入しないように結露トラップ４０の底面には傾斜面４０ｃが構成されている。更には、傾斜面４０ｃを伝ってある一定の量の水分、油分等を溜めることのできる露溜まり部４０ｄを結露トラップ排気口４０ｂ側に設けている。また、露溜まり部４０ｄは結露トラップ排気口４０ｂの穴位置よりも低い位置に設けられている為、露溜まり部４０ｄに溜められた水分、油分等が結露トラップ４０から溢れて、外装筐体１を汚さないようになっている。
【００２２】
図１０（ａ）に示すように結露トラップ４０には、結露トラップ４０の上面を覆うように、例えば嵌め合せ構造により固定される結露トラップカバー４１を設けている。この結露トラップカバー４１は、本体排気口から排出された排気を結露トラップ内に閉じこめ、排気が上昇して天板１２０に付着するのを防止する。また、結露トラップカバー４１は結露トラップ４０と共に天板１２０から着脱自在であり、調理者が天板１２０から取り外した後、図１０（ｂ）に示すように手動でこの結露トラップカバー４１を開けて結露トラップ４０内に溜まった油分や水分を捨てることが可能である。結露トラップ４０と結露トラップカバー４１との間に生じるわずかな隙間から水分、油分等が漏れないように、前記隙間には、例えばシリコン製のシール部材（図示せず）を使用して密閉することが望ましい。
【００２３】
次に、排気の流れについて図１〜図１０を用いて説明する。調理者が加熱調理器１００の扉１１を開いて加熱室１０内に被調理物を収納後、扉１１を閉じる。次に、調理者が加熱調理器１００の操作パネル２２の設定ボタン２３を操作してスタートボタン２４を押すと、マグネトロン２１から高周波が発生して調理が開始する。この時、同時に制御部２７によってファン２８が回転駆動されて、外気がファン用吸気口から吸引されて電気室内の電気機器を冷却した後、加熱室１０内に流れ込む。この結果、加熱室１０内の内圧は外圧よりも高くなるため、流れ込んだ空気は高温の被調理物からの輻射熱及び被調理物から発生した高温の水蒸気や油煙などと攪拌することで高温且つ汚い排気になる。その後、この高温且つ汚い排気は加熱室１０の背面に設けられた排気口（図示せず）から、第１の排気ダクト１６、背面板１７の穴１５、第２の排気ダクト１８を順次流れて本体排気口１９に向かう。この場合、第２の排気ダクト１８はシールなどにより密閉されており、ファン用吸気口とは完全に遮断されているため、第２の排気ダクト１８内を流れる排気がファン用吸気口へ吸引されることはない。また、この排気は第２の排気ダクト１８内を通過中に第２の排気ダクト１８の管壁の一部を兼ねる外装筐体１の背面部を介して、外気と熱交換することで、その温度が低下する。さらに、この排気は第２の排気ダクト１８内を通過中に、この流れに引き込まれて加熱調理器本体１１０の外から吸引され、外気用ダクト１８２内を流れる外気と混合部で混合されることにより、さらに温度が低下する。温度が低下した排気は、この後、本体排気口１９を通過して、結露トラップ４０内に入り、結露トラップ排気口４０ｂまでの排気経路を長くする為に、ラビリンス状に配設されたリブ４０ａによって長く構成された排気経路を通過する間に、さらに温度が低下すると共に排気中の蒸気等から水分、油分が除去される。この後、清浄化された排気は天板１２０の側面の直下に位置する結露トラップ排気口４０ｂから排出される。この間、排気は結露トラップ４０と結露トラップカバー４１によって天板１２０への付着が遮断されるので天板１２０の汚れを防止できる。排気中から除去された油や水分は結露トラップ４０内の側壁やリブを伝って流れ落ち、傾斜面４０ｃに沿って流れ落ち、露溜まり部４０ｄに溜まる。露溜まり部４０ｄに溜まった油と水分を含む液体は、調理者が随時手動で結露トラップを取り外して捨てることができる。
【００２４】
以上のような構成にすることにより、加熱調理室からの排気を本体外に排気するまでの経路を長く確保することができるので、排気温度を低減させることができ、加熱調理器本体の周辺の壁やカーテン等を傷めたり、変色させたりすることのない、安全性の優れた加熱調理器を提供することができる。
【００２５】
更に、天板と外装筐体との間に結露トラップを設けることにより、排気に含まれた水分、油分を結露トラップで除去することができるので、加熱調理器本体外に排気される空気をよりきれいにすることができるので、加熱調理器本体周辺の壁やカーテンを汚すことがなくなる。また、結露トラップを着脱自在に設けたので、調理終了後は結露トラップのみを清掃すればよいので、使い勝手の優れた清掃性の良い加熱調理器を提供することができる。
【００２６】
また、天板と外装筐体の間に空間を設けたことにより、空間を食器や角皿や調理網等の付属品を収納することが可能になり、付属品の収納場所に困ることがなくなり、更に空間内に食器を収納しておくと、加熱調理中に収納された食器が適度に温められるので、調理終了後に、温められた食器に被調理物を載置することができるので、被調理物を冷めにくくすることが可能になり、より美味しく被調理物を食することが可能になる。
【００２７】
実施の形態２．
以下、本発明の実施の形態２について説明する。図１１は本発明の実施の形態２を示す天板の斜視図、図１２は要部の側断面図、図１３は本発明の実施の形態２を示す天板の平面図、図１４は本発明の実施の形態２を示す天板の裏面図である。図１１〜図１４において、図１〜図６と同一符号は同一または相当部分である。また図１１〜図１４において、同一符号は同一または相当部分である。
【００２８】
図１１において、天板１２０の両側面に持ち手部１２０ｆを形成する。持ち手部１２０ｆは例えば、図１１に示すように、天板１２０から凸形状で形成する。また持ち手部１２０ｆは、天板１２０に凹部を形成し、手がかかるように形成しても良い。
【００２９】
図１２〜図１４に示すように、天板１２０の前方、且つ外装筐体１の上面部に当接するように前脚部１２０ｇを設け、更に天板１２０の後方には、外装筐体１、又は第２の排気ダクト１８の上面部に当接するように後脚部１２０ａを前脚部１２０ｇと高さ方向において略同一面となるように設ける。なお、天板１２０の下部に設けられたリブ１２０ｈは天板１２０を支持するために設けられたものである。また、図１３及び図１４に示すように天板１２０の裏面には結露トラップ４０の配置個所１２０ｅが示されている。
【００３０】
以上のような構成にすることにより、実施の形態１の効果の他に、持ち手部を設けることにより、天板の着脱性が向上し、天板上に置いてあった品物や、調理終了後に天板に被調理物を載置し、運んだりすることが可能になり、天板をお盆のように使用することができる。また、天板に前脚部と後脚部を設け、高さ方向において略同一面としたことにより、天板をテーブル等に運んで、そのまま天板を置いても、天板上に載置してあるものが、崩れ落ちなく、常に安定した状態で使用できるようになる。
【符号の説明】
【００３１】
１  外装筐体、１ａ  外郭、１０  加熱室、１１  扉、１２  仕切り板、１３  下ヒーター、１４  上ヒーター、１５  穴、１６  第１の排気ダクト、１７  背面板、１８  第２の排気ダクト、１９  本体排気口、２０  電気室、２１  マグネトロン、２２  操作パネル、２３  設定ボタン、２４  スタートボタン、２５  取り消しボタン、２６  表示部、２７  制御部、２８  ファン、３０  導波管、３１  アンテナ、３２  モータ、４０  結露トラップ、４０ａ  リブ、４０ｂ  結露トラップ排気口、４０ｃ  傾斜面、４０ｄ  露溜まり部、４１  結露トラップカバー、１００  加熱調理器、１１０  加熱調理器本体、１２０  天板、１２０ａ  後脚部、１２０ｂ  リブ、１２０ｃ  載置部、１２０ｄ  非載置部、１２０ｅ  結露トラップ４０の配置個所、１２０ｆ  持ち手部、１２０ｇ  前脚部、１２０ｈ  リブ、１８１  凸部、１８２  外気用ダクト、１８２ａ  吸気口、Ａ  第１の辺、Ｂ  第２の辺、Ｃ  第３の辺。
【図１】
2012037183.tif 000003
【図２】
2012037183.tif 000004
【図３】
2012037183.tif 000005
【図４】
2012037183.tif 000006
【図５】
2012037183.tif 000007
【図６】
2012037183.tif 000008
【図７】
2012037183.tif 000009
【図８】
2012037183.tif 000010
【図９】
2012037183.tif 000011
【図１０】
2012037183.tif 000012
【図１１】
2012037183.tif 000013
【図１２】
2012037183.tif 000014
【図１３】
2012037183.tif 000015
【図１４】
2012037183.tif 000016